(57)【要約】【課題】  水重量を全体の運転の駆動動力とする全自動水重量揚水発電機の提供。【解決手段】  動力輪と補助輪に輸送チェーンが設置され、補助輪とプーリに歯車用チェーンが接続され、プーリと発電機にベルトが設置され、輸送チェーンに相互に対応する複数の水タンクが設置され、該動力輪が連接棒とスイングロッドで揚水シリンダに接続され、揚水シリンダが出水管で貯水分配槽に接続され、該貯水分配槽がオーバーフロー管で収集水槽に接続され、手動で動力輪を回して連接棒とスイングロッドを介して揚水シリンダを駆動して揚水すると、水が出水管より貯水分配槽に進入し、更に輸送チェーンの一辺の動力水タンクに流れ、動力水タンクが満水となると輸送チェーンが駆動されて動力輪と補助輪が回転して続けて揚水し、満水の動力水タンクがスライドレールに沿って水を収集水槽内に流し、更に回転する補助輪がプーリとベルトを介して発電機を駆動し発電する。【選択図】        図１
2005083374.tif 000002
【特許請求の範囲】
【請求項１】
全自動水重量揚水発電機において、
左右対称に配列された動力輪と、
左右対称に配列されると共に歯車を具えた補助輪と
上述の動力輪と補助輪の間に結合され、複数の相互に対応する水タンクを具えた輸送チェーンと、
揚水管と出水管を具えて該揚水管の一端との接続部分に逆止め弁が設けられた揚水シリンダと、
出水管により上述の揚水シリンダに接続され、流量制御スイッチが設けられた貯水分配槽と、
前端の、上述の揚水シリンダの内部に位置する部分に揚水ピストンが設けられ、該揚水ピストンに揚水ピストン逆止め弁が設けられた連接棒及びスイングロッドと、
歯車が設けられたプーリと、
上述のプーリとベルトで結合された発電機と、
を具えたことを特徴とする、全自動水重量揚水発電機。
【請求項２】
請求項１記載の全自動水重量揚水発電機において、動力輪の下方に収集水槽が設けられ、並びに該収集水槽がオーバーフロー管で収集水槽に接続されたことを特徴とする、全自動水重量揚水発電機。
【請求項３】
請求項１記載の全自動水重量揚水発電機において、輸送チェーンに設置された水タンクが複数とされたことを特徴とする、全自動水重量揚水発電機。
【請求項４】
請求項１記載の全自動水重量揚水発電機において、４本の連接棒及びスイングロッドが該４本の連接棒及びスイングロッドを直列に接続するクランク軸を介して揚水シリンダと動力輪を接続することを特徴とするが、全自動水重量揚水発電機。
【請求項５】
請求項１記載の全自動水重量揚水発電機において、連接棒両端に設けられた可動軸によりゴム揚水シリンダが動力輪と接続されたことを特徴とする、全自動水重量揚水発電機。
【請求項６】
請求項５記載の全自動水重量揚水発電機において、ゴム揚水シリンダの両辺に回転輪が設けられ、該回転輪が揚水シリンダのスライドレールと嵌合されたことを特徴とする、全自動水重量揚水発電機。
【請求項７】
請求項５記載の全自動水重量揚水発電機において、ゴム揚水シリンダの各折り畳み部分に剛性環が設けられたことを特徴とする、全自動水重量揚水発電機。
【請求項８】
請求項５記載の全自動水重量揚水発電機において、ゴム揚水シリンダの一端が固定軸により逆止め弁がそれぞれ設けられた出水口と入水口に固定されたことを特徴とする、全自動水重量揚水発電機。
【発明の詳細な説明】
【技術分野】
【０００１】
本発明は一種の全自動水重量揚水発電機に係り、特に輸送チェーンに動力輪と補助輪が結合され、揚水シリンダと複数の水タンクが組み合わされ、補助輪がプーリを駆動し、ベルトを介して発電機が駆動され発電して発電サイクルを形成し、該発電機の形成する作動方式が、自動発電の機能を達成する、全自動水重量揚水発電機に関する。
【背景技術】
【０００２】
地球上の油田はますます枯渇しているにも関わらず、人類のエネルギーに対する要求はますます高まっており、エネルギー危機の到来は近い。このため人類の代替えエネルギーの開発に対する要求は切迫しており、太陽光発電、風力発電、潮汐発電等、大自然のエネルギーを利用した代替え発電方式が提供されている。しかし、光電変換の効率は低く、太陽光発電は大量の太陽光パネルを必要とし、このため占用場所が非常に大きい。このほか、太陽光は日中及び晴天の時にしか利用できず、夜間や曇天時にはエネルギーを提供できない。ゆえに一日の半分の時間は利用不能である。また、風力発電は特定の強風区域に設置されてこそ経済的効果を有するが、一般の状況での自然風は間断不連続であったり風速が低過ぎ、利用価値を有さない。潮汐発電には広大な沿岸の土地が必要で、引き潮の間に多くの時間を浪費し、且つ潮汐の落差が一定の程度なければ経済効果が得られない。以上の天然資源を利用した発電方法は数々の先天条件の制限があり、実施上困難が伴う。
【発明の開示】
【発明が解決しようとする課題】
【０００３】
上述の数々の天然資源を利用した発電方法の欠点を鑑み、本発明は水重量を全体動力として利用する方式を採用し、水の運動エネルギーを機械エネルギーに変換するのみならず、水の不断の循環供給により使用上中断の問題を解決して使用タイミングの制限を無くした新たな発電システムを提供するものである。
【０００４】
ゆえに本発明の主要な目的は、水の重量を全体構造の運転の動力として利用する設計の全自動水重量揚水発電機を提供することにあり、それは発電機の回転の方式を更新して発電機にエンジンを設けることなく自動発電の機能を達成できるようにしたものとする。
【課題を解決するための手段】
【０００５】
請求項１の発明は、全自動水重量揚水発電機において、
左右対称に配列された動力輪と、
左右対称に配列されると共に歯車を具えた補助輪と
上述の動力輪と補助輪の間に結合され、複数の相互に対応する水タンクを具えた輸送チェーンと、
揚水管と出水管を具えて該揚水管の一端との接続部分に逆止め弁が設けられた揚水シリンダと、
出水管により上述の揚水シリンダに接続され、流量制御スイッチが設けられた貯水分配槽と、
前端の、上述の揚水シリンダの内部に位置する部分に揚水ピストンが設けられ、該揚水ピストンに揚水ピストン逆止め弁が設けられた連接棒及びスイングロッドと、
歯車が設けられたプーリと、
上述のプーリとベルトで結合された発電機と、
を具えたことを特徴とする、全自動水重量揚水発電機としている。
請求項２の発明は、請求項１記載の全自動水重量揚水発電機において、動力輪の下方に収集水槽が設けられ、並びに該収集水槽がオーバーフロー管で収集水槽に接続されたことを特徴とする、全自動水重量揚水発電機としている。
請求項３の発明は、請求項１記載の全自動水重量揚水発電機において、輸送チェーンに設置された水タンクが複数とされたことを特徴とする、全自動水重量揚水発電機としている。
請求項４の発明は、請求項１記載の全自動水重量揚水発電機において、４本の連接棒及びスイングロッドが該４本の連接棒及びスイングロッドを直列に接続するクランク軸を介して揚水シリンダと動力輪を接続することを特徴とするが、全自動水重量揚水発電機としている。
請求項５の発明は、請求項１記載の全自動水重量揚水発電機において、連接棒両端に設けられた可動軸によりゴム揚水シリンダが動力輪と接続されたことを特徴とする、全自動水重量揚水発電機としている。
請求項６の発明は、請求項５記載の全自動水重量揚水発電機において、ゴム揚水シリンダの両辺に回転輪が設けられ、該回転輪が揚水シリンダのスライドレールと嵌合されたことを特徴とする、全自動水重量揚水発電機としている。
請求項７の発明は、請求項５記載の全自動水重量揚水発電機において、ゴム揚水シリンダの各折り畳み部分に剛性環が設けられたことを特徴とする、全自動水重量揚水発電機としている。
請求項８の発明は、請求項５記載の全自動水重量揚水発電機において、ゴム揚水シリンダの一端が固定軸により逆止め弁がそれぞれ設けられた出水口と入水口に固定されたことを特徴とする、全自動水重量揚水発電機としている。
【発明の効果】
【０００６】
本発明は以下のような特徴及び効果を有している。
１．本発明は水管が例えば直径４ｃｍ、長さ（高さ）が１０ｍと設定される時、内部に１５Ｌの水を収容でき、水タンク内の容量は１５Ｌに設定され、全体運転時に、一側に設けられた８個の水タンクが満水とされて動力水タンクとされ、第１、２の水タンクが機器抵抗の動力とされ、第３の水タンクが揚水管内部の重力比重とされ、第４の水タンクが揚水の動力とされ、最後の第５、６、７、８の水タンクが発電機を駆動する動力とされ、これにより有効な水循環動力発電を形成できることを特徴としている。
２．本発明の動力輪が一周回ると四つの動力水タンクの必要とする水量６０Ｌを揚水できる。動力輪が一周回転すれば四つの揚水シリンダがそれぞれ一回動作し、各揚水シリンダが１５Ｌ、全部で６０Ｌ揚水し、これにより完全に輸送チェーン上の四つの動力水タンクが必要とする水を注入することができる。
３．本発明は最初は人力で動力輪を回転させ、ピストンを押動して水に揚水管の逆止め弁を通過させて揚水シリンダに進入させる。その後、更に水を貯水分配槽に注入し、手で流量制御スイッチを制御することで、一つずつ四つの動力水タンクを満水とした後、２周回転させると８個の動力水タンクを満水とでき、自動運転発電を形成する。これにより本発明は大型及び小型の発電のいずれにも使用できる。
４．本発明は全体の動作上、水の不断の循環作用力を利用して全体システムの運転を維持でき、操作上、十分に便利で容易である。
【発明を実施するための最良の形態】
【０００７】
本発明によると、動力輪と補助輪に輸送チェーンが設置され、補助輪とプーリに歯車用チェーンが接続され、プーリと発電機にベルトが設置され、輸送チェーンに相互に対応する複数の水タンクが設置され、該動力輪が連接棒とスイングロッドで揚水シリンダに接続され、揚水シリンダが出水管で貯水分配槽に接続され、該貯水分配槽がオーバーフロー管で収集水槽に接続され、手動で動力輪を回して連接棒とスイングロッドを介して揚水シリンダを駆動して揚水すると、水が出水管より貯水分配槽に進入し、更に輸送チェーンの一辺の動力水タンクに流れ、動力水タンクが満水となると輸送チェーンが駆動されて動力輪と補助輪が回転して続けて揚水し、満水の動力水タンクがスライドレールに沿って水を収集水槽内に流し、更に回転する補助輪がプーリとベルトを介して発電機を駆動し発電する。
【実施例１】
【０００８】
図１、２には本発明の揚水シリンダを組み合わせた実施例が示される。本発明は揚水管１、出水管２、逆止め弁３、揚水シリンダ４、連接棒及びスイングロッド５、揚水ピストン逆止め弁６、動力輪７、補助輪８、貯水分配槽９、流量制御スイッチ１０、動力水タンク１１、動力水タンク１２、動力水タンク１３、動力水タンク１４、動力水タンク１５、動力水タンク１６、動力水タンク１７、動力水タンク１８、水タンク可動軸１９、スライド軸２０、スライドレール２１、収集水槽２２、空水タンク２３、オーバーフロー管２４、輸送チェーン２５、クランク軸２６、歯車２７、チェーン２８、増速プーリ２９、ベルト３０及び発電機３１を具えている。
【０００９】
本発明は揚水シリンダを組み合わせる時、先ず、輸送チェーン２５を左右対称の動力輪７と補助輪８の間に結合させ、左右対称の動力輪７をクランク軸２６により４本の連接棒及びスイングロッド５に接続して対応する四つの揚水シリンダ４に接続する。更に補助輪８と増速プーリ２９に設置された歯車２７をチェーン２８で連結し、増速プーリ２９と発電機３１の間にベルト３０を設置する。該輸送チェーン２５には相互に対応する複数の水タンクを設置し、一辺に８個の動力水タンク１１、１２、１３、１４、１５、１６、１７、１８を、もう一辺に８個の空水タンク２３を設置し、動力輪７の下方と補助輪８の上方にそれぞれ一つの空水タンク２３を設け、合計１８個の水タンクを設ける。この水タンクには水タンク可動軸１９を設けて水タンクを正確な経路に安定して保持させ、該水タンクには並びにスライド軸２０を設けて動力輪７下方のスライドレール２１に接触させて水タンクに水を自動的に収集水槽２２内に投入させる。
【００１０】
上述の連接棒及びスイングロッド５前端の揚水シリンダ４内部には揚水ピストン逆止め弁６を設け、また揚水シリンダ４に接続させた揚水管１の接続部分に逆止め弁３を設ける。該逆止め弁３の機能は水の逆流防止であり、揚水管１に接続した出水管２の別端は貯水分配槽９に接続する。この貯水分配槽９に流量制御スイッチ１０とオーバーフロー管２４を設けてオーバーフロー管２４で下方の収集水槽２２に接続する。
【００１１】
本発明の運転方式について説明する。本発明は最初だけ手動で動力輪７を回す必要がある。これにより動力輪７を直列に接続するクランク軸２６により揚水シリンダ４が駆動されて揚水し、水が揚水管１より逆止め弁３を通り揚水シリンダ４内に流入し、さらに揚水ピストン逆止め弁６を通り、揚水シリンダ４により貯水分配槽９に送られる。各動力水タンクが満水となると、動力水タンク内の水の重量が動力輪７と補助輪８を回転させる動力に変換され、補助輪８が増速プーリ２９を駆動し、増速プーリ２９が発電機３１を駆動し、こうして不断に循環発電を行なう。
【実施例２】
【００１２】
続いて図３は本発明の第２種の揚水シリンダを示す。それは管路内の砂土の揚水シリンダ内の堆積を防止できる設計とされる。該揚水シリンダ４は剛性環４０、固定軸４１、出水口４２、入水口４３、ゴム揚水シリンダ４４、回転輪４５、スイングロッド４６、スライドレール４７、可動軸４８、逆止め弁４９を具えている。
【００１３】
この揚水シリンダはスイングロッド４６両端の可動軸４８により動力輪７とゴム揚水シリンダ４４を接続し、該ゴム揚水シリンダ４４の両辺に回転輪４５が設けられて揚水シリンダの傾斜防止用のスライドレール４７と接合され、ゴム揚水シリンダ４４の折り畳み部分に剛性輪４０が設けられ、該ゴム揚水シリンダ４４の一端が固定軸４１により出水口４２と入水口４３に結合され、並びに出水口４２と入水口４３にそれぞれ逆止め弁４９が設けられている。これによりゴム揚水シリンダ４４の上下移動を利用して水を内部に進入（揚水）させ、及び送出させることができ、もし水管に少量の砂土が残留してもゴム揚水シリンダ４４の動作に影響を与えない。
【００１４】
以上は本発明の好ましい実施例の説明であって本発明の請求範囲を制限するものではなく、本発明に基づきなしうる細部の修飾或いは改変は、いずれも本発明の請求範囲に属するものとする。
【図面の簡単な説明】
【００１５】
【図１】本発明の全自動水重量揚水発電機の正面図である。
【図２】本発明の揚水シリンダの側面図である。
【図３】本発明の第２種の揚水シリンダの側面図である。
【符号の説明】
【００１６】
１  揚水管                        ２  出水管
３  逆止め弁                      ４  揚水シリンダ
５  連接棒及びスイングロッド      ６  揚水ピストン逆止め弁
７  動力輪                        ８  補助輪
９  貯水分配槽                    １０  流量制御スイッチ
１１、１２、１３、１４、１５、１６、１７、１８  動力水タンク
１９  水タンク可動軸              ２０  スライド軸
２１  スライドレール              ２２  収集水槽
２３  空水タンク                  ２４  オーバーフロー管
２５  輸送チェーン                ２６  クランク軸
２７  歯車                        ２８  チェーン
２９  増速プーリ                  ３０  ベルト
３１  発電機
４０  剛性環                      ４１  固定軸
４２  出水口                      ４３  入水口
４４  ゴム揚水シリンダ            ４５  回転輪
４６  スイングロッド              ４７  スライドレール
４８  可動軸                      ４９  逆止め弁
【図１】
2005083374.tif 000003
【図２】
2005083374.tif 000004
【図３】
2005083374.tif 000005